(57)【要約】【課題】本考案は、良好な遮蔽効果が得られる電気コネクタを提供することを目的とする。【解決手段】本考案の電気コネクタは、相手部を含む絶縁性本体と、絶縁性本体の相手部に挿入される接触部を含む複数の導電端子と、絶縁性本体を遮蔽する金属のハウジングとを備える。前記ハウジングは、主体部と、主体部から突出して絶縁性本体の相手部が装着される遮蔽部と、コネクタ部材を収納するための収納穴とを有する。【選択図】図３
0003154411.tif 000002
【実用新案登録請求の範囲】
【請求項１】
相手部を含む絶縁性本体と、
絶縁性本体の相手部に挿入される接触部を含む複数の導電端子と、
絶縁性本体を遮蔽する金属のハウジングと、を備え、
前記ハウジングは、主体部と、主体部から突出して絶縁性本体の相手部が装着される遮蔽部と、コネクタ部材を収納するための収納穴とを有することを特徴とする電気コネクタ。
【請求項２】
前記ハウジングにおいて一対の柱状部がハウジングの前表面から突出し、柱状部と遮蔽部と主体部とが一体に製造されることを特徴とする請求項１に記載の電気コネクタ。
【請求項３】
前記ハウジングの底部には、後向きに延在する一対の取付部が設けられ、前記収納穴が一対の取付部の間に形成されることを特徴とする請求項１に記載の電気コネクタ。
【請求項４】
前記ハウジングの主体部には前記遮蔽部の下に下向きに開口する挿入口が形成され、前記収納穴が前記挿入口を貫通して挿入口の後に形成されることを特徴とする請求項３に記載の電気コネクタ。
【請求項５】
前記ハウジングの後表面には一対の第１補強部が設けられ、一対の第1補強部の間には収納スペースが形成され、前記絶縁性本体には一対の第１補強部の間に挟まれる一対の耳部が設けられることを特徴とする請求項３に記載の電気コネクタ。
【請求項６】
前記ハウジングの第１補強部には前記収納スペースに向かって突出する凸状部片が設けられ、前記絶縁性本体の耳部の下には、前記凸状部片と係合する凹所が形成されることを特徴とする請求項５に記載の電気コネクタ。
【請求項７】
前記一対の第１補強部は上下に平行に延在することを特徴とする請求項５に記載の電気コネクタ。
【請求項８】
前記ハウジングの取付部には、前記第１補強部と連接する一対の第２補強部が設けられ、前記収納穴が一対の第２補強部の間に形成され、絶縁性本体がハウジングの第２補強部に支持される基部を含み、前記収納穴が絶縁性本体の基部に制限されることを特徴とする請求項５に記載の電気コネクタ。
【請求項９】
前記絶縁性本体には係合鉤を含む係合ビームが設けられ、前記ハウジングには前記係合鉤と係合する係合孔が形成されることを特徴とする請求項１に記載の電気コネクタ。
【考案の詳細な説明】
【技術分野】
【０００１】
本考案は、電気コネクタに関し、特に、ＵＳＢ（Ｕｎｉｖｅｒｓａｌ Ｓｅｒｉａｌ Ｂｕｓ）規格に準拠した電気コネクタに関するものである。
【背景技術】
【０００２】
従来技術のＵＳＢコネクタは、絶縁フレームと、絶縁フレームの上に装着される上コネクタとを備える。絶縁フレームの上コネクタの下には、下コネクタを収納するための下収納穴が形成される。この下収納穴が絶縁性材料によって製造される。
【先行技術文献】
【特許文献】
【０００３】
【特許文献１】中国特許第２９１７０２４Ｙ号明細書
【考案の概要】
【考案が解決しようとする課題】
【０００４】
下コネクタが、下収納穴の絶縁性材料に包囲されることによって、良好な遮蔽効果が得られない。
【０００５】
そこで本考案は、上述される従来技術の問題に鑑み、良好な遮蔽効果が得られる電気コネクタを提供することを目的とする。
【課題を解決するための手段】
【０００６】
前記目的を達成するために、本考案の電気コネクタは、相手部を含む絶縁性本体と、絶縁性本体の相手部に挿入される接触部を含む複数の導電端子と、絶縁性本体を遮蔽する金属のハウジングとを備える。前記ハウジングは、主体部と、主体部から突出して絶縁性本体の相手部が装着される遮蔽部と、コネクタ部材を収納するための収納穴とを有する。
【考案の効果】
【０００７】
従来技術と比べると、本考案は以下の長所を有する。本考案の電気コネクタのハウジングには、コネクタ部材を収納するための収納穴が形成される。この収納穴が金属材料によって包囲される。これにより、収納穴に収納されるコネクタ部材が良好な遮蔽効果を得られる。
【図面の簡単な説明】
【０００８】
【図１】本考案のコネクタ部材が電気コネクタに装入される時の組立図である。
【図２】図１に示す電気コネクタを別の角度から見た組立図である。
【図３】図１に示すコネクタ部材が電気コネクタに装入されない時の斜視図である。
【図４】図３に示すコネクタ部材が電気コネクタに装入されない時の別の斜視図である。
【図５】図１に示す電気コネクタの分解斜視図である。
【図６】図５に示す電気コネクタを別の角度から見た分解斜視図である。
【考案を実施するための形態】
【０００９】
図１〜図６を参照すると、電気コネクタ１００は、絶縁性本体１と、絶縁性本体１に挿入される複数の導電端子２と、導電端子２を位置決めするための位置決め部材４と、絶縁性本体１を覆うハウジング３とを備える。
【００１０】
図５及び図６に示すように、絶縁性本体１は、基部１２と、基部１２の上に配置される相手部１１とを備える。相手部１１には複数の端子溝１１０が形成される。相手部１１の上には一対の耳部１１１が設けられる。各耳部１１１の下には凹所１１２が形成される。基部１２には、前向きに延在する一対の係合ビーム１４と、基部１２の底部に設けられる一対の支持部１５が設けられる。一対の支持部１５の間には、複数の挿入溝１６が形成される。
【００１１】
各導電端子２は、前向きに延在する接触部２１と、下向きに延在する半田接続部２３と、接触部２１及び半田接続部２３とを連接するＬ字状の連接部２２とを備える。
【００１２】
ハウジング３は金属材料によって製造され、主体部３１を有する。主体部３１には、主体部３１の前表面３１０から突出する遮蔽部３２と、遮蔽部３２の両側に設けられる一対の柱状部３３とが設けられる。柱状部３３と遮蔽部３２と主体部３１とは一体に製造される。各柱状部３３の外側には、平板状の位置決め面３３１が設けられる。前記遮蔽部３２には開口３２１が形成される。主体部３１には、遮蔽部３２の下に挿入口３７と、挿入口３７を貫通する収納穴３６が形成される。遮蔽部３２と挿入口３７の間は一対の係合孔３８が形成される。
【００１３】
主体部３１の後表面には、上下に平行に延在する一対の第１補強部３１２が設けられる。一対の第１補強部３１２の間には収納スペース３１３が形成される。前記第１補強部３１２には、前記収納スペース３１３に向かって突出する一対の凸状部片３１４が設けられる。主体部３１の底部には、後向きに延在する一対の取付部３５が設けられる。各取付部３５には、前記第１補強部３１２と連接する第２補強部３５１が設けられる。収納穴３６が一対の第２補強部３５１の間に形成される。
【００１４】
図１〜図６に示すように、電気コネクタ１００を取り付ける時、先ず、複数の導電端子２が絶縁性本体１に挿入される。導電端子２の接触部２１が絶縁性本体１の端子溝１１０に挿入され、半田接続部２３が絶縁性本体１の挿入溝１６を貫通して位置決め部材４に位置決めされる。
【００１５】
ハウジング３が絶縁性本体１を遮蔽する。絶縁性本体１の相手部１１がハウジング３の遮蔽部３２に装入される。絶縁性本体１の耳部１１１がハウジング３の一対の第１補強部３１２の間に制限される。凹所１１２がハウジング３の凸状部片３１４と係合する。絶縁性本体１の基部１２が一対の取付部３５の間に制限される。ハウジング３の収納穴３６が絶縁性本体１の主体部１２に制限される。絶縁性本体１の係合鉤１４１がハウジング３の係合孔３８と係合する。絶縁性本体１の一対の支持部１５がハウジング３の取付部３５の第２補強部３５１に支持される。
【００１６】
コネクタ部材５００が電気コネクタ１００の挿入口３７から収納穴３６に挿入される。
【００１７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１８】
１００  電気コネクタ
１  絶縁性本体
１１  相手部
１１０  端子孔
１１１  耳部
１１２  凹所
１２  基部
１４  係合ビーム
１４１  係合鉤
１５  支持部
１６  挿入溝
２  導電端子
２１  接触部
２２  連接部
２３  半田接続部
３  ハウジング
３１  主体部
３１０  前表面
３１２  第１補強部
３１３  収納スペース
３１４  凸状部片
３２  遮蔽部
３２１  開口
３３  柱状部
３３１  位置きめ面
３５  取付部
３５１  第２補強部
３６  収納穴
３７  挿入口
３８  係合孔
４  位置決め部材
５００  コネクタ部材
【図１】
0003154411.tif 000003
【図２】
0003154411.tif 000004
【図３】
0003154411.tif 000005
【図４】
0003154411.tif 000006
【図５】
0003154411.tif 000007
【図６】
0003154411.tif 000008